(57)【要約】      （修正有）【課題】  壁パネルへの傷付きを防止でき、しかも締め易く、安定且つ確実強固に固定できる壁パネル取付構造を提供する。【解決手段】  取付金具３の第１フランジ１０はパネル支持フレーム１の第１フランジ７に対向するよう配置され、第２フランジ８はウェブ６に沿うように配置される。第１フランジ７，１０間に壁パネル２の側端部２ａを落し込んだ状態で、予め第２フランジ１１の山頂部１１ａ及びウェブ６に貫通させたボルト４、及びナット５を本締めする。すると取付金具３はウェブ６に当接する当接部１２を支点にして第２フランジ１１がウェブ６側に回転するよう引き寄せられると同時に、ボルト頭４ａ及びナット５の押付けにより取付金具３の第２フランジ１２がこれの一片部１1ｂと他片部１1ｃの成す角度を大きくしてウェブ６側に接近するよう弾性変形し第１フランジ１１が壁パネル２側に近づき、壁パネル２の側端部２ａが第１フランジ７側に押圧固定される。【選択図】      図２
2006328670.tif 000002
【特許請求の範囲】
【請求項１】
ウェブの両端に第１，２フランジを有する断面Ｉ形状もしくはＨ形状に形成され、水平方向に所定間隔置きに立設される複数のパネル支持フレームと、
相隣るパネル支持フレーム間に配置される壁パネルと、
前記パネル支持フレームの第１フランジに前記壁パネルの側端部を介して対向する第１フランジと、この第１フランジの一端縁に折り曲げ連設され前記パネル支持フレームのウェブに対向する第２フランジ、及びこの第２フランジの先端縁に設けられ前記ウェブに当接する当接部とを有する断面略山形状に形成され、前記パネル支持フレームのウェブを挟んで両側に、前記パネル支持フレームの縦長方向に沿って配置される一対の取付金具と、
前記ウェブを挟む前記一対の取付金具の各第２フランジと前記ウェブに貫通されるボルト、および前記ボルトにはめ合わされるナットと、
を備えている壁パネル取付構造において、
前記取付金具の第２フランジが、前記ウェブから最も離間する山頂部を有する弾性変形可能な断面山形状に形成され、前記山頂部に前記ボルトが貫通するよう構成されていることを特徴とする、壁パネル取付構造。
【請求項２】
前記第２フランジの断面山形状は「く」の字形状を成しており、この断面「く」の字形状の第２フランジの屈曲部に前記ボルトが貫通するよう構成している、請求項１記載の壁パネル取付構造。
【請求項３】
前記第２フランジの断面山形状は円弧形状を成しており、この断面円弧形状の第２フランジの前記ウェブから最も離間する山頂部に前記ボルトが貫通するよう構成している、請求項１記載の壁パネル取付構造。
【請求項４】
前記第２フランジの断面山形状は平底皿形状を成しており、この断面平底皿形状の第２フランジの前記ウェブから最も離間する山頂部である平底部に前記ボルトが貫通するよう構成している、請求項１記載の壁パネル取付構造。
【発明の詳細な説明】
【技術分野】
【０００１】
本発明は、自走式立体駐車場など建物の壁パネル取付構造に関する。
【背景技術】
【０００２】
従来、この種の壁パネル取付構造として、たとえば、図５に示すように、Ｈ形状のパネル支持フレーム２０のウェブ２１の両側に断面略山形状の取付金具２２，２２が配置される。その際、取付金具２２の第１フランジ２３がパネル支持フレーム２０の第１フランジ２４に対し間隔を置いて平行に配置され、第２フランジ２５がウェブ２１に沿うように配置される。第１フランジ２３，２４間に壁パネル（外壁パネル）２６の側端部２６ａを挿入した状態で、第２フランジ２５及びウェブ２１にボルト２７を貫通してナット２８に締結する。これにより、取付金具２２の第２フランジ２５先端の当接部２９をウェブ２１に圧接させつつ、両取付金具２２，２２をウェブ２１側に押圧させることにより、取付金具２２の第１フランジ２３により壁パネル２６の側端部２６ａをパネル支持フレーム２０の第１フランジ２４側に押圧して固定する、というものがある（特許文献１参照）。
【０００３】
【特許文献１】特開２００２−１４６９５６号公報
【発明の開示】
【発明が解決しようとする課題】
【０００４】
しかるに、上記壁パネル取付構造では、ボルト２７・ナット２８を締付けることにより取付金具２２はウェブ２１に圧接する当接部２９を支点にして第２フランジ２５がウェブ２１側に少量回転するよう引き寄せられるが、その回転に伴い、第１フランジ２３の先端のエッジ部２３ａが第１フランジ２３の他の箇所よりも壁パネル２６の側端部２６ａの内面側に局部的に強く圧接するため、その第１フランジ２３のエッジ部２３ａで壁パネル２６の内面に傷付きが生じやすく、この傷付き箇所に雨水が浸入して錆発生の原因になる。また、ボルト２７・ナット２８の締付けにより第１フランジ２３が壁パネル２６の側端部２６ａの内面側に一様な押圧力で面接触し難いため、パネル支持フレーム２０の第１フランジ２４との間での壁パネル２６の挟持力を欠きやすい憂いがある。
【０００５】
また、ボルト２７・ナット２８を締めるにつれて取付金具２２の第２フランジ２５が傾いてこの第２フランジ２５の締付ける面が平らでなくなり、このためボルト頭２７ａの座面２７ｂ上の外周縁の一点２７ｃのみ、ナット２８の座面２８ｂ上の外周縁の一点２８ｃのみが第２フランジ２５に局部的に強く食込むようになるため締め難くなり、無理やりに締め過ぎるとボルト２７の軸部が変形したり、ボルト２７やナット２８のねじ山部が潰れたりする不具合が生じる。
【０００６】
本発明は、このような問題点を解決するためになされたものであり、その目的とするところは、上記のような、Ｉ形状もしくはＨ形状のパネル支持フレームに対し壁パネルの側端部を断面略山形状の取付金具をもって固定する壁パネル取付構造において、取付金具の第２フランジの断面形状と該第２フランジに対するボルト締結箇所とに改善を加えることにより取付金具の第１フランジを壁パネルの側端部に対し均等かつ強い押圧力で面接触できるようにして壁パネルへの傷付きを防止でき、しかも締め易く、安定かつ確実強固に固定できる壁パネル取付構造を提供することにある。
【課題を解決するための手段】
【０００７】
本発明の壁パネル取付構造は、その発明の内容を理解しやすくするために図２〜図４に示した符号を参照して説明すると、ウェブ（６）の両端に第１，２フランジ（７），（８）を有する断面Ｉ形状もしくはＨ形状に形成され、水平方向に所定間隔置きに立設される複数のパネル支持フレーム（１）と、相隣るパネル支持フレーム（１），（１）間に配置される壁パネル（２）と、パネル支持フレーム（１）の第１フランジ（７）に壁パネル（２）の側端部（２ａ）を介して対向する第１フランジ（１０）と、この第１フランジの一端縁に折り曲げ連設されパネル支持フレーム（１）のウェブ（６）に対向する第２フランジ（１１）、及びこの第２フランジの先端縁に設けられ前記ウェブ（６）に当接する当接部（１２）とを有する断面略山形状に形成され、前記パネル支持フレーム（１）のウェブ（６）を挟んで両側に、前記パネル支持フレーム（１）の縦長方向に沿って配置される一対の取付金具（３），（３）と、前記ウェブ（６）を挟む前記一対の取付金具（３），（３）の各第２フランジ（１１）と前記ウェブ（６）に貫通されるボルト（４）、およびこのボルトにはめ合わされるナット（５）とを備えている壁パネル取付構造において、前記取付金具（３）の第２フランジ（１１）が、前記ウェブ（６）から最も離間する山頂部（１１ａ）を有する弾性変形可能な断面山形状に形成され、前記山頂部に前記ボルト（４）が貫通するよう構成されていることに特徴を有するものである。
【０００８】
一つの好適な態様として、本発明による壁パネル取付構造は、前記第２フランジの断面山形状は「く」の字形状に形成しており、この断面「く」の字形状の第２フランジの山頂部である屈曲部に前記ボルトが貫通するよう構成することができる。また、前記第２フランジの断面山形状は円弧形状を形成しており、この断面円弧形状の第２フランジの前記ウェブから最も離間する山頂部に前記ボルトが貫通するよう構成することもできる。さらに、前記第２フランジの断面山形状は平底皿形状を形成しており、この断面平底皿形状の第２フランジの前記ウェブから最も離間する山頂部である平底部に前記ボルトが貫通するよう構成することもできる。
【発明の効果】
【０００９】
本発明による壁パネル取付構造によれば、パネル支持フレームのウェブの両側に配置される一対の取付金具の各第２フランジが、ウェブから最も離間する山頂部を有する弾性変形可能な断面山形状に形成され、その山頂部にボルトが貫通するよう構成されている。したがって、ボルト・ナットを締付けると、一対の取付金具はウェブに当接する当接部を支点にして各第２フランジがウェブ側に回転するよう互いに引き寄せられると共に、ボルト頭及びナットの押付けに伴い両取付金具の各第２フランジが断面山形状を平らにするよう弾性変形し、この弾性変形に伴い各第１フランジが壁パネル側に向かって近づくようほぼ平行移動する。このように一対の取付金具が各当接部を支点にしてウェブ側に回転する各第２フランジの回転作用と、各第２フランジの弾性変形に伴い各第１フランジの壁パネル側に近づくほぼ平行な移動との相乗作用によって両取付金具の各第１フランジが壁パネルの側端部の内面側に略均等圧で面接触状態に押圧して固定することができる。このため、壁パネルを安定かつ確実強固に固定でき、また図５に示す従来例のような第１フランジ２３の先端のエッジ部２３ａによる壁パネル２６への傷付け問題を解消できる。
【００１０】
また、上記のようにボルトは断面山形状の第２フランジの山頂部に貫通させておくと、ボルト・ナットの締付け時にボルト頭及びナットはそれぞれの座面上の直径方向の線上で第２フランジの山頂部を縦走方向に沿って安定よく踏む状態が得られるためボルト・ナットを締め易く、この結果無理やりに締め過ぎることもなくなるためボルトの軸部を変形させたりボルトやナットのねじ山部を潰したりする憂いもない。
【００１１】
また、第２フランジの山頂部においてボルト頭及びナットは第２フランジを安定よくかつ効果的に押圧して弾性変形させることができる。第２フランジはばね作用を有効に発揮するので、ボルト・ナットの締付け時にナットと第２フランジの山頂部との接触面間に摩擦力が生じてナットが空回りするのを阻止し、また締付け後にはボルト・ナットのゆるみ止め機能を発揮する。
【発明を実施するための最良の形態】
【００１２】
本発明の好適な実施形態を図面に基づき説明する。図１は本発明の一実施例を示す壁パネル取付構造を適用した自走式立体駐車場の壁パネル納まり状態の一部斜視図、図２は図１におけるＡ−Ａ線拡大断面図、図３は他の実施例の壁パネル取付構造を図２に相応して示す断面図、図４は更に他の実施例の壁パネル取付構造を図２に相応して示す断面図である。
【００１３】
本発明に係る壁パネル取付構造の全体的構成は、図５に示す従来例のものと同様であって、図１、図２に示すように、自走式立体駐車場等の建物において水平方向に所定間隔置きに立設されるＩ形鋼またはH形鋼などからなる複数のパネル支持フレーム１と、相隣るパネル支持フレーム１，１間に配置される壁パネル（外壁パネル）２と、各パネル支持フレーム１内に該パネル支持フレーム２の縦長方向に沿って配置される一対の取付金具３，３と、この一対の取付金具３，３及びパネル支持フレーム１に貫通されるボルト４、及び該ボルト４にはめ合わされるナット５とを備えたものである。
【００１４】
図２に示すように、各パネル支持フレーム１は、ウェブ６の両端に第１，２フランジ７，８を有する断面Ｉ形状もしくはＨ形状に形成され、建物に対し第１フランジ７を外側に、第２フランジ８を内側にして配置される。ウェブ６にはその長手方向に所定間隔置きにボルト挿通孔９を設けている。
【００１５】
一方、各取付金具３は、パネル支持フレーム1の第１フランジ７に対向する第１フランジ１０と、この第１フランジ１０の一端縁に折り曲げ連設されウェブ６に対向する第２フランジ１１、及びこの第２フランジ１１の先端縁に設けられウェブ６に当接する当接部１２とを有する断面略山形状に形成される通し材からなる。そして、この取付金具３の第２フランジ１１はパネル支持フレーム１のウェブ６から最も離間する山頂部１１ａを有する弾性変形可能な断面山形状、即ち山頂部１１ａから一方向へ下り傾斜しこの下り側端に当接部１２を有する一斜辺部１１ｂと、山頂部１１ａから他方向へ下り傾斜しこの下り側端に第１フランジ１０を連設するもう一つの斜辺部１１ｃとからなる断面「く」の字形状に形成され、その山頂部１１ａである屈曲部にボルト４の軸部が緩装状態に貫通し得るボルト挿通孔１３をその長手方向に所定間隔置きに設けている。
【００１６】
次に、図１のように水平方向に所定間隔置きに立設された上記パネル支持フレーム１，１間に壁パネル２を取り付ける施工要領について説明する。
先ず、各パネル支持フレーム１のウェブ６の両側に取付金具３，３が各第１フランジ１０をパネル支持フレーム１の第１フランジ７に対向させ、第２フランジ１１をパネル支持フレーム１のウェブ６に対向させるとともに、第２フランジ１１の先端縁の当接部１２をウェブ６に当接させるようにパネル支持フレーム１の縦長方向に沿って配置される。そして、ボルト４がウェブ６を挟む一対の取付金具３，３の各第２フランジ１１のボルト挿通孔１３とウェブ６のボルト挿通孔９に貫通されるとともに、該ボルト４の先端にナット５がはめ合わされることにより各パネル支持フレーム１のウェブ６の両側に取付金具３，３が仮止めされる。
【００１７】
次いで、壁パネル２をこれの側端部２ａがパネル支持フレーム１の第１フランジ７と取付金具３の第１フランジ１０間の隙間に入り込むよう落し込む。この落し込み作業は建物のフロア−から行える。したがって、無足場で簡単に施工でき、足場を必要とする施工に比し大幅な工期短縮が図れる。
【００１８】
最後に、ボルト４・ナット５を本締めすることにより一対の取付金具３の各第１フランジ１０が壁パネル２の側端部２ａをパネル支持フレーム１の第１フランジ７側に押付け、壁パネル２が固定される。すなわち、ボルト４・ナット５を本締めすると、一対の取付金具３はウェブ６に当接する各当接部１２を支点にして各第２フランジ１１がウェブ６側に回転するよう互いに引き寄せられて各第１フランジ１０が壁パネル２の側端部２ａの内面に押圧接当する。それと同時に、ボルト頭４ａ及びナット５の押付けに伴い一対の取付金具３の各第２フランジ１１が断面山形状を平らにするよう、即ち斜辺部１１ｂと斜辺部１１ｃの成す角度θを大きくしてウェブ６側に接近するよう弾性変形し、その斜辺部１１ｃの変形に伴い第１フランジ１０が壁パネル２側に近づくようほぼ平行移動する。このように一対の取付金具３が各当接部１２を支点にしてウェブ６側に回転する各第２フランジ１１の回転作用と、各第２フランジ１１の弾性変形に伴い第１フランジ１が壁パネル２側に近づくほぼ平行な移動との相乗作用によって一対の取付金具３の各第１フランジ１０が壁パネル２の側端部２ａの内面側を略均等圧で面接触状態に押圧する。これにより一対の取付金具３の各第１フランジ１０とパネル支持フレーム１の第１フランジ７との間で壁パネル２の側端部２ａが安定よくかつ確実強固に固定される。
【００１９】
このように取付金具３の第１フランジ１０を壁パネル２の側端部２ａの内面に対しほぼ均等かつ強い押圧力で面接触させることができるので、壁パネル２の安定した確実強固な固定が可能であり、また図５に示す従来のような第１フランジ２３の先端のエッジ部２３ａによる壁パネル２６への傷付きを防止できる。
【００２０】
ボルト４は断面山形状の第２フランジ１１の山頂部１１ａに貫通させることにより、ボルト４・ナット５の締付け時にボルト頭４ａの座面及びナット５の座面は第２フランジ１１の山頂部１１ａを安定よく踏む状態が得られるためボルト４・ナット５を締付け易く、締め過ぎによりボルト４の軸部を変形させたりボルト４やナット５のねじ山部を潰したりすることもない。第２フランジ１１はばね作用を発揮するので、ボルト４・ナット５の締付け時にナット５の空回りを阻止することができる。
【００２１】
また、ボルト頭４ａ及びナット５は断面山形状の第２フランジ１１の山頂部１１ａに当接させて締付けるので第２フランジ１１を安定かつ確実に弾性変形させることができる。ボルト４・ナット５の締付け後には第２フランジ１１のばね作用によりボルト４、ナット５の締付けが振動等によりゆるむのを防止できる。
【００２２】
或る壁パネル２が損傷、破損した場合は、ボルト４・ナット５の締付けをゆるめることによりその壁パネル２の取替えを簡単に行なうことができる。
【００２３】
上記実施例では取付金具３の第２フランジ１１の断面山形状が「く」の字形状になしているが、これに代えて、図３に示すように第２フランジ１１の断面山形状は円弧形状に形成し、この断面円弧形状の第２フランジ１１のウェブ６から最も離間する山頂部にボルト貫通孔１３を設けてボルト４が貫通するよう構成することもできる。また、第２フランジ１１の断面山形状は平底皿形状に成し、この断面平底皿形状の第２フランジ１１のウェブ６から最も離間する山頂部である平底部にボルト貫通孔１３を設けてボルト４が貫通するよう構成することもできる。これら図３、図４に示す実施例においても図２に示す上記実施例の壁パネル取付構造の場合とほぼ同様の作用効果を奏する。
【図面の簡単な説明】
【００２４】
【図１】本発明の一実施例を示す壁パネル取付構造を適用した自走式立体駐車場の壁パネル納まり状態の一部斜視図である。
【図２】図１におけるＡ−Ａ線拡大断面図である。
【図３】他の実施例の壁パネル取付構造を図２に相応して示す断面図である。
【図４】更に他の実施例の壁パネル取付構造を図２に相応して示す断面図である。
【図５】従来例の壁パネル取付構造の断面図である。
【符号の説明】
【００２５】
１  パネル支持フレーム
２  壁パネル
３  取付金具
４  ボルト
５  ナット
６  ウェブ
７  パネル支持フレームの第１フランジ
８  パネル支持フレームの第２フランジ
１０  取付金具の第１フランジ
１１  取付金具の第２フランジ
１１ａ  山頂部
【図１】
2006328670.tif 000003
【図２】
2006328670.tif 000004
【図３】
2006328670.tif 000005
【図４】
2006328670.tif 000006
【図５】
2006328670.tif 000007